(57)【要約】【課題】光コネクタの小型化を図ると共に、接着剤を介してフェルールに挿入固定する光ファイバのカット端面に接着剤が付着してしまうのを未然に防止できるようにする。【解決手段】被覆を除去した光ファイバＰのカット端面部分を挿入する中心細孔２Ａを有するフェルール２と、フェルール２の後端部分を挿入固定し、光ファイバＰの被覆部分を挿入可能とした中心細孔３Ａを有するフランジ３とを備え、該フランジ３には、フランジ３の外周面から接着剤を注入可能とするようフランジ３の外周面から中心細孔３Ａに達する接着剤注入用の横孔４を設ける。【選択図】図３
2007322600.tif 000002
【特許請求の範囲】
【請求項１】
被覆を除去した光ファイバのカット端面部分が挿入される中心細孔を有するフェルールと、フェルールの後端部分が挿入固定され、光ファイバの被覆部分を挿入可能とした中心細孔を有するフランジとを備えた光コネクタの光ファイバ固定機構であって、該フランジには、フランジの外周面から接着剤を注入可能とするよう、当該フランジの外周面から中心細孔に達する接着剤注入用の横孔を設けたことを特徴とする光コネクタの光ファイバ固定機構。
【請求項２】
前記横孔は、外周面から内端部に行くに従って内径が次第に細くなるテーパ状の孔によって形成されている請求項１記載の光コネクタの光ファイバ固定機構。
【請求項３】
ジルコニア製のフェルール後端を合成樹脂製のフランジでインサート成形してフェルール、フランジの両部材を一体に連結固定した請求項１または２記載の光コネクタの光ファイバ固定機構。
【発明の詳細な説明】
【技術分野】
【０００１】
本発明は、現場組立式の簡易フェルールユニットを形成可能とし、またプラグの受け側を形成すべくレセプタクルの現場組立を可能にし、さらに現場組立式以外の通常のプラグを形成可能にした光コネクタの光ファイバ固定機構に関する。
【背景技術】
【０００２】
現在の現場組立式光コネクタは、下記の特許文献１のように、工場で組み立てた光ファイバを内蔵した研磨済みフェルール部分とメカニカルスプライス構造の心線調心および把持部の後半部分より構成されている。
【０００３】
ところで、従来の現場組立光コネクタの光ファイバ固定機構としては、フェルールの中心細孔（ファイバ孔）に、当該中心細孔の後端部より瞬間接着剤等を予め充填しておき、その後に中心細孔の後端部から光ファイバを挿入することで、当該光ファイバをフェルールに固定するものとしていた。
【特許文献１】特開平９−１２７３７１号公報
【発明の開示】
【発明が解決しようとする課題】
【０００４】
しかしながら、従来の光ファイバ固定機構を備えた光コネクタは、特に現場組立式光コネクタでは、工場で組み立てられた光ファイバ内蔵部、突き当て接続の心線調心および把持部から構成されるため、全体として大型なものとなる上に、光ファイバ（接続部において）の光伝送特性が低下する問題があった。
【０００５】
また、従来の光ファイバ固定機構では、フェルールの中心細孔（ファイバ孔）に接着剤を予め充填してから中心細孔の後端側から前端側まで光ファイバを挿入するため、挿入される光ファイバのカット端面に接着剤が付着してしまうものとなり、その結果、カット端面の汚れ処理は不可欠であった。
【０００６】
そこで、本発明は、叙上のような従来存した諸事情に鑑みなされたもので、光ファイバ固定部を小さくすることによって小型で、光伝送特性が向上し、且つ光ファイバ端面の研磨仕上げ等の汚れ処理を不要とした現場組立式、その他の光コネクタの光ファイバ固定機構を提供することを目的とする。
【課題を解決するための手段】
【０００７】
上記目的を達成するため本発明にあっては、被覆を除去した光ファイバのカット端面部分が挿入される中心細孔を有するフェルールと、フェルールの後端部分が挿入固定され、光ファイバの被覆部分を挿入可能とした中心細孔を有するフランジとを備えた光コネクタの光ファイバ固定機構であって、該フランジには、フランジの外周面から接着剤を注入可能とするよう、当該フランジの外周面から中心細孔に達する接着剤注入用の横孔を設けたことを特徴とする。
【０００８】
前記構成において、横孔は、外周面から内端部に行くに従って内径が次第に細くなるテーパ状の孔によって形成することができる。
【０００９】
さらに、ジルコニア製のフェルール後端を合成樹脂製のフランジでインサート成形してフェルール、フランジの両部材を一体に連結固定することができる。
【００１０】
以上のように構成された本発明に係る光コネクタの光ファイバ固定機構にあって、フランジに設けられた横孔は、フェルールの中心細孔に光ファイバのカット端面を挿入して位置合わせした状態でフランジ横側から接着剤を注入可能にさせ、光ファイバの被覆部分をフランジ内で固定させる。これによって光ファイバのカット端面に接着剤が付着してしまうのを未然に防止させ、当該端面の汚れ処理が不要な簡易フェルールユニットを形成させる。
【００１１】
また、テーパ状の孔によって形成されている横孔は、フランジの中心細孔内への接着剤の充填作業を容易にさせる。
【発明の効果】
【００１２】
本発明によれば、従来の現場組立式光コネクタのように、フェルール内部での工場での組み立て済みファイバとの突き当て接続部が無くなり、これによって光コネクタ全体の小型化が可能となる上に、光コネクタ全体での光伝送特性が向上する。
【００１３】
また、本発明によれば、接着剤を介してフェルールに挿入し固定される光ファイバのカット端面に接着剤が付着してしまうのを未然に防止することができ、これによって光ファイバ端面の汚れ処理が不要となる。
【００１４】
さらに、前記フランジに設けられた横孔は、外周面から内端部に行くに従って内径が次第に細くなるテーパ状の孔によって形成されているので、フランジの中心細孔内へ向けて接着剤をスムーズに充填することができる。
【００１５】
さらにまた、ジルコニア製のフェルール後端を合成樹脂製のフランジでインサート成形してフェルール、フランジの両部材を一体に連結固定したので、高価なジルコニア材によるフェルールの軸方向の寸法を短くして材料費の節減を図ることができ、全体として経済的に製作することができる。しかも、前記フランジに設けられた横孔は、合成樹脂製のフランジにのみに形成されるため、加工が容易かつ短時間で行える。
【発明を実施するための最良の形態】
【００１６】
以下、本発明を実施する最良の形態を図面を参照して説明する。
図に示される符号１は、現場組立式の光コネクタに使用される簡易フェルールユニットであり、該簡易フェルールユニット１は、図１および図２に示すように、被覆を除去した光ファイバケーブルＱにおける光ファイバＰのカット端面側部分を挿入可能とした中心細孔２Ａを有するフェルール２と、該フェルール２の後端部分が挿入され、且つ光ファイバＰの被覆された中間部分が挿入配置される若干太めの中心細孔３Ａを有するフランジ３とによってユニット構成されている。
【００１７】
フェルール２は、ジルコニア製部材によって円柱状に加工形成されており、該フェルール２の後端には、短尺小径な円柱突起部２Ｂを介して環状フランジ状の係止部分２Ｃを一体形成してある。そして、この係止部分２Ｃを含む円柱突起部２Ｂを、合成樹脂製のフランジ３でインサート成形することでフェルール２、フランジ３の両部材が互いに一体となるように連結固定される。このとき、フェルール２の中心細孔２Ａは、円柱突起部２Ｂから係止部分２Ｃにかけて次第に大径となるように形成されてフランジ３の中心細孔３Ａに連通された状態となる。
【００１８】
また、フランジ３は、細長円筒状の小径胴部３Ｂの略中間に、扁平円筒状の大径胴部３Ｃが、一端の段差胴部３Ｄを介して突設されており、フランジ３の大径胴部３Ｃを介して前後に位置する小径胴部３Ｂ外周の上下側対称箇所および左右側対称箇所には、中心細孔３Ａに達する合計８個の瞬間接着剤ａ注入用の横孔４がそれぞれ形成されている。このとき、前側の横孔４は、フランジ３に挿入されているフェルール２の係止部分２Ｃよりも後方に配置される。
【００１９】
また、フランジ３に設けられたこれら横孔４は、外周面から内端部に行くに従って内径が次第に細くなるテーパ状の孔によって形成されている。
【００２０】
さらに、図３に示すように、フランジ３の段差胴部３Ｃ後方の小径胴部３Ｂには、光ファイバＰに予め挿入されているブーツ５の前端開口部分が圧入させられることで当該ブーツ５が簡易フェルールユニット１に固定されるようにしてある。
【００２１】
こうして光ファイバＰの被覆部分を挿入した状態で、中心細孔３Ａに達する横孔４から瞬間接着剤ａが注入可能となることで、光ファイバＰのカット端面を当該瞬間接着剤ａで汚すことなくフランジ３に光ファイバＰの被覆部分が固定されるものとなっている。このとき、図３に示すように、前側の横孔４に注入した瞬間接着剤ａは、フランジ３の中心細孔３Ａ内部を経てフランジ３に挿入されているフェルール２の円柱突起部２Ｂ側からフェルール２の中心細孔２Ａ内部に向けて毛細管現象によって浸透導入される。
【００２２】
また、現場組付による光ファイバＰがフェルール２先端に直接突出させるものとしてあるため、従来の現場組立式光コネクタのように、フェルール２内部での工場で組み立て済みファイバとの突き当て接続部が無くなり、これによってプラグ全体の光伝送特性が向上する。
【００２３】
尚、フランジ３の横孔４の数は既述した実施形態に限られるものでなく、例えばフランジ３に単数であっても、また複数であっても良いことは勿論である。また、このフランジ３の横孔４は、インサート成形と同時に形成したり、あるいはインサート成形後に、別途孔あけ作業で加工形成したりしても良い。
【００２４】
次に、以上のように構成された最良の形態についての使用、組立の一例を説明するに、先ず、図１または図２に示すように、フェルール２の係止部分２Ｃを含む円柱突起部２Ｂを、合成樹脂製のフランジ３でインサート成形することでフェルール２、フランジ３の両部材を互いに一体となるように連結固定しておく。このとき、フェルール２の円柱突起部２Ｂから係止部分２Ｃにかけて次第に大径となる中心細孔２Ａは、フランジ３の中心細孔３Ａに連通された状態となる。
【００２５】
そして、図３（ａ）に示すように、被覆を除去した光ファイバＰを、長さを設定してファイバカッタで切断してから、このカット端面部分を、フランジ３の中心細孔３Ａからフェルール２の中心細孔２Ａにかけて挿入する。そして、図３（ｂ）に示すように、フェルール２端面に光ファイバＰのカット端面部分を合わせておき、フランジ３の横孔４から瞬間接着剤ａを注入することで、光ファイバＰが簡易フェルールユニット１に固定される。この後、図３（ｃ）に示すように、光ファイバＰに予め挿入されているブーツ５を段差胴部３Ｃ後方の小径胴部３Ｂに圧入することで当該ブーツ５が簡易フェルールユニット１に固定される。
【００２６】
また、図４には、本発明に係る簡易フェルールユニット１を、フェルール２内に挿入された光ファイバＰとの接続を行うための略矩形状を呈する現場組立式の光コネクタ２１に使用した例が示されている。すなわち、光コネクタ２１は、図４（ｃ）に示すように、簡易フェルールユニット１のフェルール２の後端部分が挿入されるフランジ３が前後方向で僅かに移動可能となるように挿入された保持部材２２と、保持部材２２に嵌合するフレーム２３と、フレーム２３の外側を被覆する摘み部２４と、ブーツ５とから概ね構成されている。
【００２７】
保持部材２２の前端部、フランジ３前端部の外面側に形成された大径胴部３Ｃそれぞれの間に形成されている矩形環状の空間部には、弾性部材２５としての例えばコイルスプリングがフランジ３の段差胴部３Ｄ、小径胴部３Ｂそれぞれを巻装させるようにした状態で介在配置させてある。
【００２８】
また、図４（ａ）、図４（ｂ）に示すように、この光コネクタ２１に使用される簡易フェルールユニット１においても前記と同様に現場組付による光ファイバＰがフェルール２先端に直接突出させることで、従来の現場組立式光コネクタように、フェルール２内部での工場で組み立て済みファイバとの突き当て接続部が無くなり、これによってプラグ全体の光伝送特性が向上する。そして、このように組み立てられた光コネクタにあっては、カット端面の接続部に屈折率整合剤もしくは同等の特性のものを介して相手側光コネクタとの接続を行なう。
【００２９】
また、図５には、本発明に係る簡易フェルールユニット１を、簡易レセプタクルとして組み立てる例が示されている。すなわち、図５（ａ）に示すように、フェルール２端面における光ファイバＰのカット端面に、屈折率整合剤を塗布してから、割りスリーブ１２を挿入し、図５（ｂ）に示すように、レセプタクル１３に組み込むことでプラグの受け側が形成される。このレセプタクル１３は、筒体１４内周の中央に、フェルール２を挿入して前端の係止部１５Ａで係止可能とする内筒部１５が形成されており、該内筒部１５の長手方向に沿って突設した後方にある係止爪１５Ｂをフランジ３の大径胴部３Ｃに掛架して固定できるようにしてある。
【００３０】
尚、長めの状態の光ファイバＰを簡易フェルールユニット１に挿入して接着固定してから、光ファイバＰのカット端面に研磨仕上げを施すことも可能であり、これによって現場組立式以外の通常のプラグとして使用することができる。
【図面の簡単な説明】
【００３１】
【図１】本発明を実施するための最良の形態における互いに一体化された光コネクタのフェルールとフランジの一例を示す平面図である。
【図２】同じく互いに一体化された光コネクタのフェルールとフランジを示す一部切欠断面図である。
【図３】現場組立式の簡易フェルールユニットに光ファイバを組み付ける工程の一例を示し、（ａ）は簡易フェルールユニットのフランジ側から光ファイバを挿入する直前の状態を示す一部切欠断面図、（ｂ）は簡易フェルールユニットのフランジ側から光ファイバを挿入した後に、フランジに設けられた横孔に接着剤を充填した状態を示す一部切欠断面図、（ｃ）はフランジ側にブーツを装着した状態を示す一部切欠断面図である。
【図４】簡易フェルールユニットを、フェルール内に挿入された光ファイバとの接続を行うための現場組立式の光コネクタに使用した例を示し、（ａ）は簡易フェルールユニットのフランジ側から光ファイバを挿入する直前の状態を示す一部切欠断面図、（ｂ）は簡易フェルールユニットのフランジ側から光ファイバを挿入した後に、フランジに設けられた横孔に接着剤を充填した状態を示す一部切欠断面図、（ｃ）は現場組立式の光コネクタの形成後の状態を示す一部切欠断面図である。
【図５】簡易フェルールユニットを簡易レセプタクルとして組立てる一例を示し、（ａ）は簡易フェルールユニットに割りスリーブを挿入する前の状態の一部切欠断面図、（ｂ）は簡易レセプタクルとして組立てた状態の一部切欠断面図である。
【符号の説明】
【００３２】
Ｐ    光ファイバ
ａ    瞬間接着剤
１    簡易フェルールユニット
２    フェルール
２Ａ  中心細孔（ファイバ孔）
３    フランジ
３Ａ  中心細孔（ファイバ孔）
４    横孔
５    ブーツ
【図１】
2007322600.tif 000003
【図２】
2007322600.tif 000004
【図３】
2007322600.tif 000005
【図４】
2007322600.tif 000006
【図５】
2007322600.tif 000007